(57)【要約】【課題】超高層ビルであっても解体工事を好適に行うことを可能にするクライミング式テルハ及び建物の解体方法を提供する。【解決手段】箱枠状に形成されたフレーム１と、フレーム１に一体に設けられるともに伸縮してフレーム１の側面から水平方向外側に張出可能に設けられた上部受け架台２と、フレーム１の直下に設けられるとともに、伸縮して水平方向外側に張出可能に設けられた下部受け架台３と、フレーム１と下部受け架台３に接続して上下方向に伸縮駆動する複数のクライミングジャッキ４と、前記フレームに支持され、水平方向に移動可能に設けられた揚重装置７と、フレーム１の頂部に設けられる搬送台車１１と、設置／撤去可能に設けられ、揚重装置７をフレームの側面の外側に移動させるための張出／延長用走行レールとを備える。【選択図】図１
2019163672.tif 000002
【特許請求の範囲】
【請求項１】
箱枠状に形成されたフレームと、
前記フレームに一体に設けられるともに伸縮して前記フレームの側面から水平方向外側に張出可能に設けられた上部受け架台と、
前記フレームの直下に設けられるとともに、伸縮して水平方向外側に張出可能に設けられた下部受け架台と、
上端を前記フレームに、下端を前記下部受け架台にそれぞれ接続して上下方向に伸縮駆動する複数のクライミングジャッキと、
前記フレームに支持されて水平方向に移動可能に設けられた揚重装置と、
前記フレームの頂部に設けられる搬送台車と、
設置／撤去可能に設けられ、前記揚重装置を前記フレームの側面の外側に移動させるための張出／延長用走行レールとを備えることを特徴とするクライミング式テルハ。
【請求項２】
請求項１記載のクライミング式テルハを用いて建物を解体する方法であって、
建物内に前記クライミング式テルハ設置するクライミング式テルハ組立て設置工程と、
前記搬送台車が上方の床スラブに当接してこれを支持する位置まで前記クライミングジャッキを伸長する直上スラブ仮支持工程と、
前記搬送台車で受けた状態を維持しつつ、前記床スラブを切断し、前記クライミング式テルハが上方に通過移動可能な開口部を形成する直上スラブ開口工程と、
前記床スラブを切断して分離した切断片を搬送台車で搬送除去する切断片撤去工程と、
前記搬送台車を前記フレームの頂部に戻すとともに、前記上部受け架台が新たに形成した直上の開口部を上方に通過するまで前記クライミングジャッキを伸ばし、前記上部受け架台で前記クライミング式テルハを支持するとともに、前記下部受け架台を上方に移動しつつ前記下部受け架台で前記クライミング式テルハを支持するクライミング工程と、
前記直上スラブ仮支持工程と前記直上スラブ開口工程と前記切断片撤去工程とクライミング工程とを繰り返し行って建物の最頂部にクライミング式テルハを設置するクライミング式テルハ頂部到達工程と、
前記張出／延長用走行レールを取り付け、前記揚重装置で解体部材を地上に搬送しつつ建物の上階から解体作業を行い、且つ、前記上部受け架台と前記下部受け架台で前記クライミング式テルハを支持しつつ順次クライミング式テルハを下方に移動し、上階から下階まで順次建物を解体してゆく建物解体工程とを備えることを特徴とする建物の解体方法。
【発明の詳細な説明】
【技術分野】
【０００１】
本発明は、クライミング式テルハ及びこれを用いた建物の解体方法に関する。
【背景技術】
【０００２】
従来、中小規模のビルを解体し、超高層に建替えることを目的とした解体工事では、バックホー、ニブラ等を使用して建物躯体を解体し、解体部材を上階から落としてゆく手法が多用されている。
【０００３】
一方、近年では超高層ビルの解体工事が増加してきており、また、解体時の環境対策などにより、従来の中小規模のビルを解体構法では対応できないケースが増えている。すなわち、超高層ビルとして建設されたビルも老朽化を理由に解体されるケースが増え、解体対象の高層化が進んでいる（例えば、特許文献１参照）。
【先行技術文献】
【特許文献】
【０００４】
【特許文献１】特開２００７−０４６３６０号公報
【発明の概要】
【発明が解決しようとする課題】
【０００５】
ここで、解体重機を設置する解体構法では、中小規模ビルの解体の場合、建屋の高さが低いことから移動式クレーンを用いて解体重機を屋上階に設置することができる。これに対し、超高層ビルの場合には、建屋の高さが高いため、タワークレーン等を設置して解体重機を設置しなければならない。
【０００６】
また、解体部材の搬送作業においても、中小規模ビルの解体の場合にはエレベータシャフト等の開口を使って解体部材を落下させ地上階におろすことができるのに対し、超高層ビルの場合には、バケット等に解体部材を集積し、タワークレーン等で地上階におろすことが必要になる。
【０００７】
よって、超高層ビルを解体する場合にはビルの高さに応じた揚程能力を有したタワークレーンが必要であり、さらに、タワークレーンを設置するにはおよそ１か月程度が必要で、工期の短い解体工事ではタワークレーンの組立解体日数が工期のウェイトを占めてしまう。
【０００８】
このような背景から、超高層ビルの解体工事を好適に行うことが可能な手法の開発が強く望まれていた。
【０００９】
本発明は、上記事情に鑑み、超高層ビルであっても解体工事を好適に行うことを可能にするクライミング式テルハ及び建物の解体方法を提供することを目的とする。
【課題を解決するための手段】
【００１０】
上記の目的を達するために、この発明は以下の手段を提供している。
【００１１】
本発明に係るクライミング式テルハは、箱枠状に形成されたフレームと、前記フレームに一体に設けられるともに伸縮して前記フレームの側面から水平方向外側に張出可能に設けられた上部受け架台と、前記フレームの直下に設けられるとともに、伸縮して水平方向外側に張出可能に設けられた下部受け架台と、上端を前記フレームに、下端を前記下部受け架台にそれぞれ接続して上下方向に伸縮駆動する複数のクライミングジャッキと、前記フレームに支持されて水平方向に移動可能に設けられた揚重装置と、前記フレームの頂部に設けられる搬送台車と、設置／撤去可能に設けられ、前記揚重装置を前記フレームの側面の外側に移動させるための張出／延長用走行レールとを備えることを特徴とする。
【００１２】
本発明に係る建物の解体方法は、上記のクライミング式テルハを用いて建物を解体する方法であって、建物内に前記クライミング式テルハ設置するクライミング式テルハ組立て設置工程と、前記搬送台車が上方の床スラブに当接してこれを支持する位置まで前記クライミングジャッキを伸長する直上スラブ仮支持工程と、前記搬送台車で受けた状態を維持しつつ、前記床スラブを切断し、前記クライミング式テルハが上方に通過移動可能な開口部を形成する直上スラブ開口工程と、前記床スラブを切断して分離した切断片を搬送台車で搬送除去する切断片撤去工程と、前記搬送台車を前記フレームの頂部に戻すとともに、前記上部受け架台が新たに形成した直上の開口部を上方に通過するまで前記クライミングジャッキを伸ばし、前記上部受け架台で前記クライミング式テルハを支持するとともに、前記下部受け架台を上方に移動しつつ前記下部受け架台で前記クライミング式テルハを支持するクライミング工程と、前記直上スラブ仮支持工程と前記直上スラブ開口工程と前記切断片撤去工程とクライミング工程とを繰り返し行って建物の最頂部にクライミング式テルハを設置するクライミング式テルハ頂部到達工程と、前記張出／延長用走行レールを取り付け、前記揚重装置で解体部材を地上に搬送しつつ建物の上階から解体作業を行い、且つ、前記上部受け架台と前記下部受け架台で前記クライミング式テルハを支持しつつ順次クライミング式テルハを下方に移動し、上階から下階まで順次建物を解体してゆく建物解体工程とを備えることを特徴とする。
【発明の効果】
【００１３】
本発明のクライミング式テルハ及びこれを用いた建物の解体方法においては、クライミング式テルハ（テルハ装置）を機械の設置を１階で行え、このクライミング式テルハ自身の駆動で建物の最上階まで移動することができる。また、クライミング式テルハを用いて解体機械の揚重、解体部材の搬出を行うことができ、大型揚重機を必要としない。さらに、建物の解体作業の進捗に応じて、クライミング式テルハ自身の駆動で下方の所定階に移動できる。
【００１４】
よって、本発明のクライミング式テルハ及び建物の解体方法によれば、超高層ビルであっても、言い換えれば、建物（構造物）の規模に影響を受けることなく、その建物の解体工事を好適に行うことが可能になる。
【図面の簡単な説明】
【００１５】
【図１】本発明の一実施形態に係るクライミング式テルハを示す正面図であり、建物内を上昇するクライミング時の状態を示す図である。
【図２】図１のＸ１−Ｘ１線矢視図であり、本発明の一実施形態に係るクライミング式テルハを示す側面図である。
【図３】本発明の一実施形態に係るクライミング式テルハを示す正面図であり、下降する建物解体時の状態を示す図である。
【図４】図３のＸ１−Ｘ１線矢視図であり、本発明の一実施形態に係るクライミング式テルハを示す側面図である。
【図５】本発明の一実施形態に係るクライミング式テルハを用いた建物の解体方法において、クライミング式テルハを設置するために建物の下階側の床スラブに開口部を形成した状態を示す図である。
【図６】本発明の一実施形態に係るクライミング式テルハを用いた建物の解体方法において、建物の１階にクライミング式テルハを設置した状態を示す図である。
【図７】本発明の一実施形態に係るクライミング式テルハを用いた建物の解体方法において、搬送台車で直上の床スラブを支持する位置までフレームを上げた状態を示す図である。
【図８】本発明の一実施形態に係るクライミング式テルハを用いた建物の解体方法において、搬送台車で床スラブを支持しつつ床スラブを切断している状態を示す図である。
【図９】本発明の一実施形態に係るクライミング式テルハを用いた建物の解体方法において、床スラブを切断した後にフレームを上げて搬送台車で床スラブの切断片を支持した状態を示す図である。
【図１０】本発明の一実施形態に係るクライミング式テルハを用いた建物の解体方法において、搬送台車で床スラブの切断片を撤去している状態を示す図である。
【図１１】本発明の一実施形態に係るクライミング式テルハを用いた建物の解体方法において、新たに形成した床スラブの開口部を通じてフレームを上方に移動した状態を示す図である。
【図１２】本発明の一実施形態に係るクライミング式テルハを用いた建物の解体方法において、上部受け架台でフレームを支持するために上部受け架台を張り出した状態を示す図である。
【図１３】本発明の一実施形態に係るクライミング式テルハを用いた建物の解体方法において、上部受け架台でフレームを支持するともに下部受け架台を下階の床スラブから離した状態を示す図である。
【図１４】本発明の一実施形態に係るクライミング式テルハを用いた建物の解体方法において、下部受け架台を縮めた状態を示す図である。
【図１５】本発明の一実施形態に係るクライミング式テルハを用いた建物の解体方法において、下部受け架台を開口部を通じて上方の床スラブ位置まで移動した状態を示す図である。
【図１６】本発明の一実施形態に係るクライミング式テルハを用いた建物の解体方法において、下部受け架台を再度張り出した状態を示す図である。
【図１７】本発明の一実施形態に係るクライミング式テルハを用いた建物の解体方法において、下部受け架台でフレームを再度支持した状態を示す図である。
【図１８】本発明の一実施形態に係るクライミング式テルハを用いた建物の解体方法において、直上の床スラブを切断撤去する作業を繰り返し行ってクライミングしてゆく状態を示す図である。
【図１９】本発明の一実施形態に係るクライミング式テルハを用いた建物の解体方法において、クライミング式テルハを建物の最頂部に設置した状態を示す図である。
【図２０】本発明の一実施形態に係るクライミング式テルハを用いた建物の解体方法において、建物の最頂部に設置したクライミング式テルハの揚重装置で張出／延長用走行レールを吊り上げ搬入している状態を示す図である。
【図２１】本発明の一実施形態に係るクライミング式テルハを用いた建物の解体方法において、搬入した張出／延長用走行レールを所定位置に仮置きした状態を示す図である。
【図２２】本発明の一実施形態に係るクライミング式テルハを用いた建物の解体方法において、下部受け架台を床スラブから離した状態を示す図である。
【図２３】本発明の一実施形態に係るクライミング式テルハを用いた建物の解体方法において、下部受け架台を縮めた状態を示す図である。
【図２４】本発明の一実施形態に係るクライミング式テルハを用いた建物の解体方法において、下部受け架台を下方に移動した状態を示す図である。
【図２５】本発明の一実施形態に係るクライミング式テルハを用いた建物の解体方法において、下部受け架台を伸ばした状態を示す図である。
【図２６】本発明の一実施形態に係るクライミング式テルハを用いた建物の解体方法において、下部受け架台を下方の床スラブに当接させてクライミング式テルハを下部受け架台で支持した状態を示す図である。
【図２７】本発明の一実施形態に係るクライミング式テルハを用いた建物の解体方法において、上部受け架台を縮めた状態を示す図である。
【図２８】本発明の一実施形態に係るクライミング式テルハを用いた建物の解体方法において、フレームを下方に移動し、仮置きした張出／延長用走行レールとサドル走行レールのレベルを合わせた状態を示す図である。
【図２９】本発明の一実施形態に係るクライミング式テルハを用いた建物の解体方法において、張出／延長用走行レールとフレーム／サドル走行レールに接続した状態を示す図である。
【図３０】本発明の一実施形態に係るクライミング式テルハを用いた建物の解体方法において、上部受け架台及び下部受け架台でフレームをクライミング式テルハを支持した状態を示す図である。
【図３１】本発明の一実施形態に係るクライミング式テルハを用いた建物の解体方法において、揚重装置を用いて、重機等を地上から吊り上げて搬入している状態を示す図である。
【図３２】本発明の一実施形態に係るクライミング式テルハを用いた建物の解体方法において、建物の最頂部の解体作業を開始し、解体部材を揚重装置で地上に吊り下げて搬送撤去している状態を示す図である。
【図３３】本発明の一実施形態に係るクライミング式テルハを用いた建物の解体方法において、盛替え作業を行うために下部受け架台を縮めた状態を示す図である。
【図３４】本発明の一実施形態に係るクライミング式テルハを用いた建物の解体方法において、盛替え作業を行うために下部受け架台を下方に移動し、下部受け架台を伸ばして下方の床スラブに当接してクライミング式テルハを支持させた状態を示す図である。
【図３５】本発明の一実施形態に係るクライミング式テルハを用いた建物の解体方法において、盛替え作業を行うために上部受け架台を縮めた後、下方に移動した状態を示す図である。
【図３６】本発明の一実施形態に係るクライミング式テルハを用いた建物の解体方法において、上部受け架台を伸ばした状態を示す図である。
【図３７】本発明の一実施形態に係るクライミング式テルハを用いた建物の解体方法において、上部受け架台でクライミング式テルハを支持させ、盛替え作業が完了した状態を示す図である。
【発明を実施するための形態】
【００１６】
以下、図１から図３７を参照し、本発明の一実施形態に係るクライミング式テルハ及び建物の解体方法について説明する。ここで、本発明に係るクライミング式テルハは、超高層ビルの解体工事に用いて好適な揚重／搬送用の装置であるが、勿論、超高層ビル以外のあらゆる建物（構造物）の解体にも適用可能である。
【００１７】
本実施形態のクライミング式テルハＡは、図１から図４に示すように、例えば、鉄骨材を組み付けて略矩形箱枠状に形成されたフレーム１と、フレーム１の下方部分に一体に設けられるともに伸縮してフレーム１の側面から水平方向外側に張出可能に設けられた上部受け架台２と、フレーム１の直下に設けられるとともに、伸縮して水平方向外側に張出可能に設けられた下部受け架台３と、上端をフレーム１に、下端を下部受け架台３にそれぞれ接続して上下方向に伸縮駆動する複数のクライミングジャッキ４と、フレーム１の上部受け架台２よりも上方に配されるとともに、サドル走行レール５に走行サドル６を支持させて水平方向に走行移動可能に設けられた電動ウインチ（揚重装置）７とを備えて構成されている。
【００１８】
また、上部受け架台２と下部受け架台３はそれぞれ、油圧シリンダーの伸縮駆動によって水平方向に張出／退避可能に構成されている。
【００１９】
本実施形態のクライミング式テルハＡには、上部受け架台２と下部受け架台３の油圧シリンダーと、クライミングジャッキ４の油圧シリンダーを伸縮駆動するための油圧ユニット１０がフレーム１に一体に取り付けられている。
【００２０】
本実施形態のクライミング式テルハＡは、建物内を上昇するクライミング時の状態の図１及び図２に示すように、水平方向に走行移動自在に、且つ設置／撤去可能に設けられる搬送台車１１をフレーム１の頂部（上端）に備えている。さらに、下降する建物解体時の状態の図３及び図４に示すように、クライミング式テルハＡは、電動ウインチ７を走行させるための走行レール５をフレーム１の両外側に延長するように着脱可能（設置／撤去可能）に設けられる張出／延長用走行レール１２を備えている。
【００２１】
なお、揚重装置は、電動ウインチ７に限定する必要はなく、また、揚重装置を水平方向に移動させる手段も限定する必要はない。
【００２２】
次に、上記構成からなる本実施形態のクライミング式テルハＡを用いて建物を解体する方法について説明するとともに、本実施形態のクライミング式テルハ（建物の解体方法）の作用効果について説明する。
【００２３】
本実施形態のクライミング式テルハＡを用いて建物Ｔを解体する際には、図５に示すように、クライミング式テルハＡの組立てが可能な領域を確保するために、建物Ｔの下階の床スラブ１５の一部を予め解体して開口部１６を形成する。例えば、２〜３フロア分の床スラブ１５を解体する。
【００２４】
そして、図６に示すように、床スラブ１５を予め解体して形成された上下方向に延びる建物内の空間を利用し、この空間内にクライミング式テルハＡを組立てて設置する（クライミング式テルハ組立て設置工程）。このとき、クライミング式テルハＡは、その頂部に搬送台車１１を設け、張出／延長用走行レール１２を撤去した図１及び図２の状態で組み立てられる。また、下部受け架台３の油圧シリンダーを伸長させて下部受け架台３を外側に張り出しておく。
【００２５】
次に、図７に示すように、フレーム１の頂部に設けられた搬送台車１１が上方の床スラブ１５に当接してこれを支持する位置までクライミングジャッキ（クライミング用の油圧シリンダー）４を伸長する（直上スラブ仮支持工程）。
【００２６】
次に、図８、図９に示すように、上方の床スラブ１５を搬送台車１１で受けた状態を維持しつつ、この上方の床スラブ１５を、道路カッター１７などを用いて切断し、クライミング式テルハＡが上方に通過移動可能な開口部１６を形成する（直上スラブ開口工程）。
【００２７】
このとき、図８、図９に示すように、床スラブ１５を切断するとともに搬送台車１１で床スラブ１５の切断片１５ａを受け、この状態でクライミングジャッキ４を伸ばし、切断対象階に敷設した走行レール１８のレベルまでフレーム１の頂部ひいては搬送台車１１を上昇させる。これにより、直上の床スラブ１５に開口部１６が形成される。また、図１０に示すように、切断対象階に敷設した走行レール１８上を走行させて搬送台車１１とともに床スラブ１５の切断片１５ａを切断対象階に取り込んで、搬送台車１１から下ろし仮置きする（切断片撤去工程）。この床スラブ１５の切断片１５ａは後のクライミング式テルハＡの下降時に搬出撤去する。なお、搬送台車１１は、走行レール１８上を走行するのではなく、フレーム１上及び床スラブ１５上を自在に走行、移動できるように構成されていても勿論構わない。
【００２８】
次に、図１１に示すように、搬送台車１１をフレーム１の頂部に戻すとともに、上部受け架台２が次の階のスラブ位置（新たに形成した直上の開口部１６）を上方に通過するまでクライミングジャッキ４を伸ばす。図１２に示すように、この段階で上部受け架台２の油圧シリンダーを伸ばし、上部受け架台２をフレーム１の側面から床スラブ１５の上に張り出す。
【００２９】
次に、図１３に示すように、クライミングジャッキ４の油圧シリンダーを縮め、上部受け架台２を床スラブ１５に当接して支持させ、下部受け架台３を下階の床スラブ１５から離し、下部受け架台３による支持状態を解除する（上部受け架台支持工程／クライミング工程）。
【００３０】
次に、図１４に示すように、クライミング式テルハＡが上部受け架台２を床スラブ１５に当接させて支持された段階で、油圧シリンダーを縮長させ、下部受け架台３を縮めて退避させる。そして、図１５に示すように、下部受け架台３が次の直上の床スラブ１５を通過するまでクライミングジャッキ４の油圧シリンダーを縮め、図１６に示すように、再度、下部受け架台３を張り出して床スラブ１５上に下部受け架台３を伸ばす。
【００３１】
この段階で、図１７に示すように、クライミングジャッキ４の油圧シリンダーを伸ばし、下部受け架台３を床スラブ１５に当接させ、クライミング式テルハＡを下部受け架台３で支持させる（下部受け架台支持工程／クライミング工程）。また、上部受け架台２を縮めて退避させる。
【００３２】
そして、図６から図１７に示す操作／工程を順次繰り返してゆくことにより、図１８に示すように、建物Ｔの頂部まで各階の床スラブ１５に開口部１６を形成しつつクライミング式テルハＡをクライミング（上昇移動）させることができる（クライミング式テルハ頂部到達工程）。また、図１８に示すように、クライミング式テルハＡのフレーム１の頂部が建物Ｔの最頂部に達した段階で搬送台車１１を床スラブ１５の切断片１５ａとともにフレーム１の頂部から走行移動させて撤去する（搬送台車撤去工程）。
【００３３】
次に、図１９に示すように、上部受け架台２を建物Ｔの最頂部の床スラブ１５に支持させ、且つ、下部受け架台３を直下の階の床スラブ１５に支持させるようにして、クライミング式テルハＡを建物最上部までクライミングさせる（最上部設置工程）。
【００３４】
この段階で、図２０に示すように、電動ウインチ７を使って地上から張出／延長用走行レール１２を建物Ｔの最頂部に搬入する（張出／延長用走行レール搬入工程）。また、図２１に示すように、搬入した張出／延長用走行レール１２を、台車等に載せ、取り付けしやすい状態にして仮置きする。
【００３５】
次に、図２２に示すように、下部受け架台３が床スラブ１５から離れるようにクライミングジャッキ４の油圧シリンダーを縮め、下部受け架台３による支持状態を解除するとともに、図２３に示すように、下部受け架台３を縮める。
【００３６】
次に、図２４に示すように、下部受け架台３が下階の床スラブ１５付近まで降下するようにクライミングジャッキ４の油圧シリンダーを伸ばし、図２５に示すように、下部受け架台３を張り出し、さらにクライミングジャッキ４の油圧シリンダーを伸ばして、図２６に示すように、下部受け架台３を床スラブ１５に当接させ、下階の床スラブ１５でクライミング式テルハＡを支持させる（下部受け架台下降／支持工程）。
【００３７】
次に、図２７に示すように、上部受け架台２を縮めるとともにクライミングジャッキ４の油圧シリンダーを縮め、図２８に示すように、サドル走行レール５と張出／延長用走行レール１２の高さ位置が一致するまでクライミング式テルハＡを下降させる。図２９に示すように、サドル走行レール５に張出／延長用走行レール１２を接続し、図３０に示すように、再度、クライミング式テルハＡを建物最上部までクライミングさせる（最上部再設置工程）。
【００３８】
次に、図３１に示すように、解体作業に必要な重機等を電動ウインチ７、サドル走行レール５、張出／延長用走行レール１２を用いて地上から揚重、盛替えし、建物Ｔの最上階の解体作業を始め、図３２に示すように、電動ウインチ７、サドル走行レール５、張出／延長用走行レール１２を用いて解体部材２０を地上の下階に順次搬送撤去する（最上部解体工程）。
【００３９】
そして、建物Ｔの最上階の解体作業が完了した段階で、直下の階の解体作業を行うために重機等の直下の階への搬送、盛替えを行う。
【００４０】
この盛替え作業時には、図３３に示すように、下部受け架台３を縮め、図３４に示すように、クライミングジャッキ４の油圧シリンダーを伸ばして下部受け架台３を下方に移動し、下部受け架台３を伸ばして下方の床スラブ１５に当接させてクライミング式テルハＡを支持させる。次に、図３５に示すように、上部受け架台２を縮めるとともにクライミングジャッキ４の油圧シリンダーを縮めてクライミング式テルハＡを下げる。そして、図３６に示すように、上部受け架台２を伸ばし、図３７に示すように、さらにクライミングジャッキ４の油圧シリンダーを縮めて上部受け架台２でクライミング式テルハＡを支持させる。この状態で下階の解体作業、解体部材２０の搬送撤去を行ってゆく。
【００４１】
上記と同様の操作を繰り返し行って順次クライミング式テルハＡを下降させながら建物Ｔを上階から下階まで解体してゆく（建物解体工程）。
【００４２】
したがって、本実施形態のクライミング式テルハＡにおいては、機械の設置を１階で行え、クライミング式テルハＡ自身の駆動で建物Ｔの最上階まで移動することができる。また、このクライミング式テルハＡを用いて解体機械の揚重、解体部材２０の搬出を行うことができ、大型揚重機を必要としない。さらに、建物Ｔの解体作業の進捗に応じて、クライミング式テルハＡ自身の駆動で下方の所定階に移動できる。
【００４３】
よって、本実施形態のクライミング式テルハＡ及び建物Ｔの解体方法によれば、超高層ビルであっても、言い換えれば、建物（構造物）Ｔの規模に影響を受けることなく、その建物Ｔの解体工事を好適に行うことが可能になる。
【００４４】
以上、本発明に係るクライミング式テルハ及び建物の解体方法の一実施形態について説明したが、本発明は上記の実施形態に限定されるものではなく、その趣旨を逸脱しない範囲で適宜変更可能である。
【００４５】
例えば、本実施形態では、クライミングジャッキ４が油圧式であるものとして説明を行っているが、空気圧など他の方式で伸縮するものであってもよい。
【符号の説明】
【００４６】
１      フレーム
２      上部受け架台
３      下部受け架台
４      クライミングジャッキ
５      サドル走行レール
６      サドル
７      電動ウインチ（揚重装置）
１０    油圧ユニット
１１    搬送台車
１２    張出／延長用走行レール
１５    床スラブ
１５ａ  切断片
１６    開口部
１７    道路カッター
１８    走行レール
Ａ      クライミング式テルハ
Ｔ      建物
【図１】
2019163672.tif 000003
【図２】
2019163672.tif 000004
【図３】
2019163672.tif 000005
【図４】
2019163672.tif 000006
【図５】
2019163672.tif 000007
【図６】
2019163672.tif 000008
【図７】
2019163672.tif 000009
【図８】
2019163672.tif 000010
【図９】
2019163672.tif 000011
【図１０】
2019163672.tif 000012
【図１１】
2019163672.tif 000013
【図１２】
2019163672.tif 000014
【図１３】
2019163672.tif 000015
【図１４】
2019163672.tif 000016
【図１５】
2019163672.tif 000017
【図１６】
2019163672.tif 000018
【図１７】
2019163672.tif 000019
【図１８】
2019163672.tif 000020
【図１９】
2019163672.tif 000021
【図２０】
2019163672.tif 000022
【図２１】
2019163672.tif 000023
【図２２】
2019163672.tif 000024
【図２３】
2019163672.tif 000025
【図２４】
2019163672.tif 000026
【図２５】
2019163672.tif 000027
【図２６】
2019163672.tif 000028
【図２７】
2019163672.tif 000029
【図２８】
2019163672.tif 000030
【図２９】
2019163672.tif 000031
【図３０】
2019163672.tif 000032
【図３１】
2019163672.tif 000033
【図３２】
2019163672.tif 000034
【図３３】
2019163672.tif 000035
【図３４】
2019163672.tif 000036
【図３５】
2019163672.tif 000037
【図３６】
2019163672.tif 000038
【図３７】
2019163672.tif 000039